(57)【要約】【課題】車両に配索されるワイヤハーネスを覆うグロメットの曲げ方向規制構造であって、プロテクタを不要にしてワイヤハーネスの曲げ方向を規制し、部品点数を削減することにある。【解決手段】グロメット（２）は、異なる位置に複数の突起（１１、１２）を備え、複数の突起（１１、１２）同士が当接した状態で固定され、ワイヤハーネス（１）の曲げ方向を規制する。【選択図】図１
2017055507.tif 000002
【特許請求の範囲】
【請求項１】
車両に配索されるワイヤハーネスを覆うグロメットの曲げ方向規制構造であって、前記グロメットは異なる位置に複数の突起を備え、前記複数の突起同士は当接した状態で固定されることを特徴とするグロメットの曲げ方向規制構造。
【請求項２】
前記複数の突起同士は、タイバンドによって当接した状態で固定されることを特徴とする請求項１に記載のグロメットの曲げ方向規制構構造。
【請求項３】
前記グロメットは少なくとも第一の突起と第二の突起とを備え、前記第一の突起は凹形状部を有し、前記第二の突起は凸形状部を有し、前記第一突起と第二の突起とは、前記凹形状部と前記凸形状部とが接続されることで、当接した状態で固定されることを特徴とする請求項１に記載のグロメットの曲げ方向規制構造。
【発明の詳細な説明】
【技術分野】
【０００１】
この発明は、グロメットの曲げ方向規制構造に係り、特に車両に配索されるワイヤハーネスを覆ってワイヤハーネスの方向規制を可能とするグロメットの曲げ方向規制構造に関する。
【背景技術】
【０００２】
従来、車両においては、ワイヤハーネスを一定方向に曲げて配索する場合に、例えば、特許文献１のように、ワイヤハーネス用のグロメットが湾曲したプロテクタに挿入されることで、ワイヤハーネスもプロテクタの形状と同様に湾曲して配索される構造が知られている。
【先行技術文献】
【特許文献】
【０００３】
【特許文献１】特開２０１５−０００６１９号公報
【発明の概要】
【発明が解決しようとする課題】
【０００４】
ところが、特開２０１５−０００６１９号公報では、湾曲した形状のプロテクタによってワイヤハーネスの曲げ方向を規制するワイヤハーネスの配索構造であり、このため、プロテクタが別途に必要になるため、部品点数が増加することとなり、改善が望まれていた。
【０００５】
そこで、この発明は、プロテクタを不要にしてワイヤハーネスの曲げ方向を規制し、部品点数を削減することができるグロメットの曲げ方向規制構造を提供することを目的とする。
【課題を解決するための手段】
【０００６】
この発明は、車両に配索されるワイヤハーネスを覆うグロメットの曲げ方向規制構造であって、グロメットは異なる位置に複数の突起を備え、複数の突起同士は当接した状態で固定されることを特徴とする。
【発明の効果】
【０００７】
この発明は、グロメットの突起同士を当接した状態で固定することから、プロテクタを不要にしてワイヤハーネスの曲げ方向を規制し、部品点数を削減することができる。
【図面の簡単な説明】
【０００８】
【図１】図１はワイヤハーネスの曲げ方向が規制された状態のグロメットの斜視図である。（実施例１）
【図２】図２は図１のグロメットの曲げ方向規制構造の拡大斜視図である。（実施例１）
【図３】図３はワイヤハーネスの曲げ方向が規制されていない状態のグロメットの斜視図である。（実施例１）
【図４】図４は突起同士が接続される前のグロメットの曲げ方向規制構造の斜視図である。（実施例２）
【図５】図５は突起同士が接続された後のグロメットの曲げ方向規制構造の概略断面図である。（実施例２）
【発明を実施するための形態】
【０００９】
この発明は、プロテクタを不要にしてワイヤハーネスの曲げ方向を規制し、部品点数を削減する目的を、ワイヤハーネスを覆うグロメットに複数の突起を設け、複数の突起同士を当接した状態で固定して実現するものである。
【実施例１】
【００１０】
図１〜図３は、この発明の実施例１を示すものである。
図１に示すように、車両のエンジンルームには、配策部品として、例えば、高電圧のワイヤハーネス１が配策される。
ワイヤハーネス１の一部は、筒状のグロメット２によって覆われる。
グロメット２は、例えば、ゴム製などの弾性材からなり、図３に示すように、中央部位の蛇腹部３と、蛇腹部３の一端の拡張部４に接続されたコネクタ保持部５と、蛇腹部３の他端の端部６とからなり、ワイヤハーネス１を挿通させる。
グロメット２において、少なくとも蛇腹部３は、曲げや捩り等に対して弾性変形が可能である。
図１に示すように、コネクタ保持部５の端面には、ワイヤハーネス１の端部位に接続されたコネクタ７が保持される。コネクタ保持部５には、コネクタ側ブラケット８が備えられる。コネクタ７には、車体側ブラケット９が備えられる。
【００１１】
グロメット２には、ワイヤハーネス１の曲げ方向規制構造１０が一体的に備えられる。
曲げ方向規制構造１０は、グロメット２に異なる位置で複数の突起を備え、複数の突起同士が当接した状態で固定される。
具体的には、この実施例１では、曲げ方向規制構造１０は、複数の突起として、例えば、グロメット２の蛇腹部３の一端の拡張部４の外面の第一の突起１１と、グロメット２の蛇腹部３の他端の外面の第二の突起１２とを備える。
【００１２】
第一の突起１１は、図３に示すように、拡張部４の側部の外面で水平方向へ突出して配置される。
第一の突起１１は、図２に示すように、第一の接合面１３を形成する所要面域の第一の平坦部１４と、第一の平坦部１４の周縁の側壁部１５と、第一の平坦部１４と側壁部１５とで形成された凹部１６とを備える。側壁部１５は、拡張部４の外面に接続される接続部１７と、接続部１７に対峙する先端部１８とを有する。凹部１６は、図２に示すように、第一の突起１１が第二の突起１２に当接した状態で上方へ開放する。
第一の平坦部１４には、図３に示すように、第一のバンド挿通孔１９が貫通して形成されている。
【００１３】
第二の突起１２は、図３に示すように、蛇腹部３の他端の外面の上部に配置される。
第二の突起１２は、図２に示すように、蛇腹部３の他端の外面に接続される脚部２０と、第二の接合面２１を形成する所要面域の第二の平坦部２２とを備える。
第二の突起１２は、脚部２０内で蛇腹部３の外面と共に空間２３を形成する。
第二の平坦部２２には、図３に示すように、第二のバンド挿通孔２４が貫通して形成されている。
【００１４】
第一の突起１１と第二の突起１２との配置関係にあっては、図１、図２に示すように、グロメット２の蛇腹部３が曲げ捩られてワイヤハーネス１の曲げ方向が規制された状態では、第一の突起１１の第一の接合面１３が第二の突起１２の第二の接合面２１の上方に位置し、且つ第一のバンド挿通孔１９と第二のバンド挿通孔２４とが重なる。
【００１５】
また、図１、図２に示すように、グロメット２において、第一の突起１１と第二の突起１２とは、タイバンド２５によって当接した状態で固定される。タイバンド２５は、帯状部２６と止め部２７とからなり、帯状部２６の先端が止め部２７に係着される構造である。タイバンド２５は、帯状部２６が第一の突起１１の第一のバンド挿通孔１９と第二の突起１２の第二のバンド挿通孔２４とに挿通され、帯状部２６の先端を止め部２７に係着することにより、第一の突起１１の先端部１８と第二の突起１２の第二の平坦部２２とを当接した状態で固定する。
【００１６】
次いで、この実施例１におけるワイヤハーネス１の曲げ方向を規制する場合の曲げ方向規制構造１０について説明する。
ワイヤハーネス１の曲げ方向を規制する場合には、先ず、図３に示すように、グロメット２の他端の端部６を固定した状態で、グロメット２の一端を上方の曲げ方向Ｒ１へ移動させるとともに、図１に示すように、グロメット２の蛇腹部３を捩り方向Ｒ２へ捩って湾曲させ、そして、第一の突起１１の先端部１８を第二の突起１２の第二の平坦部２２の上方に位置させ、さらに、第一の突起１１の第一の接合面１３を第二の突起１２の第二の接合面２１に当接させ、また、第一のバンド挿通孔１９と第二のバンド挿通孔２４とを重ねる。
そして、重ねられた第一のバンド挿通孔１９と第二のバンド挿通孔２４とにタイバンド２５の帯状部２６を挿通するとともに、帯状部２６の先端を止め部２７に係着させ、そして、第一の突起１１の先端部１８と第二の突起１２の第二の平坦部２２とを帯状部２６で締結する。
これにより、第一の突起１１と第二の突起１２とが当接した状態で固定され、ワイヤハーネス１の曲げ方向が一定に規制される。
【００１７】
この結果、この実施例１においては、グロメット２の複数の突起同士としての第一の突起１１と第二の突起１２とを当接した状態で固定する。具体的には、第一の突起１１と第二の突起１２とをタイバンド２５によって当接した状態で固定し、これにより、プロテクタを不要にしてワイヤハーネス１の曲げ方向を規制し、部品点数を削減することができる。
【実施例２】
【００１８】
図４、図５は、この発明の実施例２を示すものである。
この実施例２においては、上述の実施例１と同一機能を果たす箇所には、同一符号を付して説明する。
この実施例２の特徴とするところは、以下の点にある。即ち、図４、図５に示すように、曲げ方向規制構造１０は、凹形状部２８を有する第一の突起１１と、凸形状部２９を有する第二の突起１２とを備える。
第一の突起１１は、上記の実施例１の場合と同様に構成され、第一の平坦部１４に凹部１６へ連通する凹形状部２８としての嵌合孔３０を備える。
第二の突起１２は、上記の実施例１の場合と同様に構成され、第二の平坦部２２で第二の接合面２１に対して直交方向へ突出する凸形状部２９としての嵌合部３１を備える。
嵌合部３１は、第二の平坦部２２の第二の接合面２１から延びる軸部３２と、軸部３２の先端で軸部３２の外径よりも大径の係止部３３とからなる。
軸部３２は、第一の突起１１の係合孔３０内に挿着される。
係止部３３は、弾性変形可能な弾性材であり、軸部３２の先端に接続されて軸部３２の外径よりも大きく形成され、且つ先細り面３３Ａを備えている。係止部３３は、先細り面３３Ａから嵌合孔３０に挿入され、嵌合孔３０を通過する際に圧縮されて嵌合孔３０内に収まるように窄み、一方、嵌合孔３０を経て凹部１６内に至ると、窄み状態から解放されて元の大きさに戻り、軸部３２が嵌合孔３０から抜け出ないように、ストッパとしての機能を有する（図５参照）。
第一の突起１１と第二の突起１２との配置関係にあっては、グロメット２の蛇腹部３が曲げ捩られてワイヤハーネス１の曲げ方向が規制された状態では、第一の突起１１が第二の突起１２の上方に位置し、嵌合孔３０と嵌合部３１とが重なる。
【００１９】
次いで、この実施例２におけるワイヤハーネス１の曲げ方向を規制する場合の曲げ方向規制構造１０について説明する。
ワイヤハーネス１の曲げ方向を規制する場合には、上記の実施例１の場合と同様に、グロメット２の他端の端部６を固定した状態で、グロメット２の蛇腹部３を曲げ捩り、そして、図４に示すように、第一の突起１１を第二の突起１２の上方に位置させる。
そして、第一の突起１１を第二の突起１２に近づけるように移動させ（図４のＡ方向で示す）、第一の突起１１の係合孔３０に第二の突起１２の嵌合部３１を挿入させると、係止部３３が圧縮されて係合孔３０内に挿入し、その後、第二の突起１２の係止部３３が第一の突起１１の凹部１６内に至ると、係止部３３がその圧縮状態から解放されて元の大きさに戻って第一の突起１１の第一の平坦部１４に係止される。
これにより、図５に示すように、第一の突起１１と第二の突起１２とが当接した状態で固定され、ワイヤハーネス１の曲げ方向が一定に規制される。
【００２０】
この結果、この実施例２において、グロメット２は、図５に示すように、嵌合孔３０と嵌合部３１とが嵌合状態になって接続されることで、第一の突起１１と第二の突起１２とが当接した状態で固定される。
このような構造により、凹形状部２８と凸形状部２９とが接続されることで、第一の突起１１と第二の突起１２とが当接状態で固定されるため、プロテクタを不要にしてワイヤハーネス１の曲げ方向を規制することができ、部品点数を削減することができる。
【００２１】
なお、上記の実施例１、２においては、複数の突起として、第一の突起と第二の突起とについてのみ説明したが、例えば、グロメットに第三の突起を備え、第一の突起と第二の突起、又は第一の突起と第二の突起、第二の突起と第三の突起と、複数の突起の組み合わせを当接して固定することで、異なる方向にワイヤハーネスの曲げ方向を規制することが可能である。
【産業上の利用可能性】
【００２２】
この発明のグロメットの曲げ方向規制構造は、高電圧のワイヤハーネスに限られず、電装ワイヤハーネス、エンジンワイヤハーネス等の他の配策部品にも適用可能である。
【符号の説明】
【００２３】
１  ワイヤハーネス
２  グロメット
３  蛇腹部
１０  曲げ方向規制構造
１１  第一の突起
１２  第二の突起
１３  第一の接合面
１６  凹部
１９  第一のバンド挿通孔
２１  第二の接合面
２４  第二のバンド挿通孔
２５  タイバンド
２８  凹形状部
２９  凸形状部
３０  嵌合孔
３１  嵌合部
【図１】
2017055507.tif 000003
【図２】
2017055507.tif 000004
【図３】
2017055507.tif 000005
【図４】
2017055507.tif 000006
【図５】
2017055507.tif 000007